(57)【要約】 【課題】  錠箱内の摺動体を所望する距離まで十分に移動させることができること。また、内外の揺動軸を簡単に連係させることができること。【解決手段】内外の支持座に支持軸を介してそれぞれ枢支された内外の揺動軸と、これらの揺動軸の外端部にそれぞれ固定された内外のプッシュプルハンドルと、これらのプッシュプルハンドルの操作力により摺動する摺動体を錠箱内に備えたプッシュプル錠のハンドル機構に於いて、内外の揺動軸の内端軸部に互いに直接係合するオス・メス係合部３５．３６を形成し、内外のハンドルのいずれかを「プル」又は「プッシュ」すると、内外の揺動軸の内端軸部が、錠箱内の前記摺動体を、バネ部材のバネ力に抗して所定方向へ移動させること。【選択図】  図１０
2005264487.tif 000002
【特許請求の範囲】
【請求項１】
内外の支持座に支持軸を介してそれぞれ枢支された内外の揺動軸と、これらの揺動軸の外端部にそれぞれ固定された内外のプッシュプルハンドルと、これらのプッシュプルハンドルの操作力により摺動する摺動体を錠箱内に備えたプッシュプル錠のハンドル機構に於いて、前記内外の揺動軸の内端軸部に互いに直接係合するオス・メス係合部３５．３６を形成し、内外のハンドルのいずれかを「プル」又は「プッシュ」すると、内外の揺動軸の内端軸部が、錠箱内の前記摺動体を、バネ部材のバネ力に抗して所定方向へ移動させることを特徴とするプッシュプル錠のハンドル機構。
【請求項２】
請求項１に於いて、摺動体は、第１摺動体１２と、第２摺動体１３とから成り、揺動軸７．８の内端軸部３４は、バネ部材４３のバネ力に抗して第１摺動体１２又は第２摺動体１３の側壁部１２ａ．１３ａを押圧することを特徴とするプッシュプル錠のハンドル機構。
【請求項３】
請求項１に於いて、内外の揺動軸７．８の互いに連係する内端軸部３４の先端部の外側部分３４ａの少なくとも一方が、錠箱内の前記摺動体を、バネ部材４３のバネ力に抗して所定方向へ移動させることを特徴とするプッシュプル錠のハンドル機構。
【請求項４】
請求項１に於いて、揺動軸の内端軸部３４に互いに直接係合するオス・メス係合部は、一方は、係合小突起３５であり、他方は、軸芯方向に形成された長溝３６であることを特徴とするプッシュプル錠のハンドル機構。
【発明の詳細な説明】
【技術分野】
【０００１】
本発明は、プッシュプル錠のハンドル機構に関する。
【背景技術】
【０００２】
特許文献１には、「ドーナツ形状の内外の支持座にピン状の支持軸を介してそれぞれ枢支された内外の揺動軸（揺動部材）と、これらの揺動軸の外端部にそれぞれ固定された内外のプッシュプルハンドルと、これらのプッシュプルハンドルの操作力により摺動する摺動体（同調部材）を錠箱内に備えたプッシュプル錠のハンドル機構」が開示されている（文献１の図２）。
【０００３】
このハンドル機構の内外の揺動軸（符号は１３と１７）は、内外に分割され、それぞれ独立しているものの、挟み形状に形成された内端軸部の係合部（符号は１３２と１７２）は、互いに分離しており、錠箱内の摺動体（同調部材）の係合ピン（符号は３９４）とそれぞれ上下に係合している。
【０００４】
上記構成に於いて、内外のハンドルをそれぞれプッシュ又はプルすると、内外の揺動軸（符号は１３と１７）が揺動することにより、摺動体（同調部材）が所定方向へと摺動し、錠前が解錠（開錠）する。
【０００５】
しかしながら、文献１に記載の構成では、解錠時、内外の揺動軸の係合部は、摺動体（同調部材）の係合ピンの外周面に対する挟み状態の接線方向の線点対偶となるから、摺動体（同調部材）を押し付ける距離を十分に得ることができないという問題点があった。
また、内外の揺動軸の係合部は、摺動体（同調部材）の係合ピンに上下の状態で係合する必要があるから、摺動体（同調部材）を二つの作動片に区分し、「プッシュ」又は「プル」に対応して二つの作動片を選択的に移動させることができないという問題点があった。なお、摺動体を二つにすると、施・解錠機構の設計幅が広がるという利点がある。
【特許文献１】特開２００２−１２９７９６公報
【発明の開示】
【発明が解決しようとする課題】
【０００６】
本発明の第１の目的は、錠箱内の摺動体を所望する距離まで十分に移動させることができること。第２の目的は、内外の揺動軸を簡単に連係させることができること。第３の目的は、摺動体を二つに区分しても、ハンドルの「プッシュ」又は「プル」に対応して揺動軸の内端軸部が共働して摺動体を選択的に押し付けることができることである。付加的な目的として、所定厚さの扉に限定されないことである。
【課題を解決するための手段】
【０００７】
本発明のプッシュプル錠のハンドル機構は、内外の支持座に支持軸を介してそれぞれ枢支された内外の揺動軸と、これらの揺動軸の外端部にそれぞれ固定された内外のプッシュプルハンドルと、これらのプッシュプルハンドルの操作力により摺動する摺動体を錠箱内に備えたプッシュプル錠のハンドル機構に於いて、前記内外の揺動軸７．８の内端軸部３４．３４に、互いに直接係合するオス・メス係合部３５．３６を形成し、内外のハンドル１０．１１のいずれかを「プル」又は「プッシュ」すると、内外の揺動軸７．８の内端軸部３４．３４が、錠箱内の前記摺動体を、バネ部材４３のバネ力に抗して所定方向へ移動させることを特徴とする。この場合、内端軸部３４．３４一方又は両方が、摺動体に側壁を押し付ける。
【発明の効果】
【０００８】
（１）揺動軸の先端部で摺動体を押し付けることができる。したがって、錠箱内の摺動体を所望する距離まで十分に移動させることができる
（２）内外の揺動軸の内端軸部の係合部を、直接（ダイレクトに）合わせるだけで良いから、内外の揺動軸を簡単に連係させることができる。
（３）摺動体を二つに区分しても、ハンドルの「プッシュ」又は「プル」に対応して揺動軸の内端軸部が共働して摺動体を選択的に押し付けることができる。
（４）請求項４に記載の発明は、図１１の（ａ）、（ｂ）で示すように、扉の肉厚に対応して係合小突起が長い溝のどこかに係合する。したがって、所定厚さの扉に限定されない。
【発明を実施するための最良の形態】
【０００９】
以下、図１乃至図１１に示す本発明を実施するための最良の形態により説明する。１は扉、２はプッシュプル錠、３はプッシュプル錠の一部を省略した錠箱、４は内側支持座、５は外側支持座、６は内外の支持座４．５を一体的に連結する複数本の固着具、７は内側揺動軸、８は外側揺動軸、９は内外の揺動軸をそれぞれ枢支する支持軸、１０は内側揺動軸７にハンドル用固着具１６を介して固定される内側ハンドル、１１は外側揺動軸８にハンドル用固着具１６を介して固定される外側ハンドルである。
【００１０】
なお、１２は錠箱３内に移動可能に設けられた枠状の第１摺動体、１３は第１摺動体１２内に設けられた第２摺動体、１４は内側化粧カバー、１５は外側化粧カバー、１７は揺動軸７．８に外嵌し、かつ、支持座４．５の環状凹所２５．２５にそれぞれ嵌合する１対の合成樹脂製嵌着鍔である。
【００１１】
本発明のプッシュプル錠のハンドル機構Ｘは、基本的には、内外の支持座４．５、これらの支持座にそれぞれ支持軸９．９を介して揺動自在に軸支される内外の揺動軸７．８、これらの揺動軸の外端軸部にそれぞれ一体的に取付けられる内外のプッシュプルハンドル（以下、「ハンドル」という。）１０．１１を備える。
【００１２】
そして、内外のハンドル１０．１１のいずれかを「プル（引く）」又は「プッシュ（押す）」すると、内外の揺動軸７．８の互いに連係する内端軸部が、共働して錠箱内の第１摺動体１２又は第２摺動体１３を、該摺動体用のバネ部材のバネ力に抗して所定方向へ移動させる。
【００１３】
そこで、以下、これらの基本的な構成部材を中心に説明する。なお、プッシュプル錠の内部構造は、本発明の特定要件とは関係がないので、その説明を割愛する。また、扉１や錠箱３には、特に符号を付さないが、内外の支持座４．５用取付け孔、支持軸用中心孔等が形成されている。
【００１４】
（１）支持座４．５
内外の支持座４．５は、それぞれドーナツ形状に形成され、外側の支持座４の内壁面に一対のメネジを有する連結杆２１が突設されているのに対し、内側の支持座５には、前記メネジ連結杆２１に対向する固着具６用貫通孔２２．２２が形成されている点を除き、その余の構成は略同一である。したがって、説明の便宜上、内外の支持座４．５の同一部分には、それぞれ同一の符号を付する。また支持座の細部は説明を省略する。
【００１５】
図１、図７を参照にすると、２３はやや肉厚の環状部で、この環状部２３の中央部には、角型（例えば四角形）の中心孔２４が形成されている。２５は前記中心孔２４と連通するように環境部２３の中央部の外壁面に形成された環状凹所である。環状凹所２５、環状部２３及び中心孔２４の形状は、多角形又は円形のいずであるかを問わない。
【００１６】
２６は前記中心孔２４と連通するように環状部２３の外周面の適宜箇所から半径方向へと形成された支持軸９用の挿入穴である。挿入穴２６は貫通状態に形成しても良い。但し、挿入穴２６を貫通状態に形成した場合には、支持軸９が外れないような工夫する（例えば止め片を固定する、挿入穴２６の形状を段差状に形成する、支持軸９と挿入穴との関係を螺合関係にする等）のが望ましい。
【００１７】
上記構成の内外の支持座４．５は、図１及び図２で示すように、扉１の室外側と室内側から、それぞれ対向するように扉１及び錠箱３の取付け孔を介して扉１及び錠箱３に装着される。
【００１８】
敷衍すれば、外側支持座５の１対のメネジ連結杆２１は、錠箱３の取付け孔に貫通状態に差し込まれ、これらのメネジ連結杆２１．２１には、内側支持座４の貫通孔２２．２２をそれぞれ貫通する固着具６が螺合するから、内外の支持座４．５は、扉１を挟んで一体的に結合する。
【００１９】
（２）揺動軸７．８と支持軸９．９
外側揺動軸７と内側の揺動軸８は、図１、図３で示すように、対応する内側の支持座４と外側の支持座５にそれぞれ支持軸９．９を介して揺動自在に軸支される。
【００２０】
本実施例では、内外の揺動軸７．８は、内外の支持座４．５の挿入穴２６にそれぞれ差し込まれた支持軸９．９を介してそれぞれ水平方向に揺動自在である。
【００２１】
また、内外の揺動軸７．８は、オス側か、それともメス側かの違いを除き、（ａ）ハンドル軸が略均等に分割されている点、（ｂ）各棒状或いは板状の内端軸部がオス・メスの係合部３５．３６を介して直接連係している点、（ｃ）内外のハンドル１０．１１のいずれかを「プル」又は「プッシュ」すると、連係する内端軸部３４．３４が、共働して錠箱内の第１摺動体１２又は第２摺動体１３を、該摺動体用のバネ部材のバネ力に抗して所定方向へ移動させる（後述）。
【００２２】
そこで、図６を参照にして内外の揺動軸７．８を説明するが、説明の便宜上、両者の同一の部分には、同一の符号を付す。
【００２３】
３０は外端軸部で、内外の外端軸部３０には、それぞれ内外のハンドル１０．１１が取付けられる。各外端軸部３０は、それぞれ角軸に形成され、望ましくは、ハンドル用固着具１６がそれぞれ入り込むすり鉢状の小凹所３１が形成されている。３２は軸中央部で、この軸中央部３２は、内外支持座４．５の中心孔２４にそれぞれ遊嵌合状態に貫挿される。軸中央部３２には、支持軸９用の貫通小孔３３が形成されている。貫通小孔３３は、支持座４．５の挿入穴２６と符合する。
【００２４】
３４はそれぞれ係合部を有する長板状内端軸部で、本実施例では、内側揺動軸７の内端軸部３４はオス側で、一方、外側揺動軸８の内端軸部３４はメス側である。
【００２５】
図６では、メス側の外側揺動軸８の理解を容易にするために裏側から見た図も示しているが、外側揺動軸８の内端軸部の係合部３６は、軸芯方向に形成された水平長溝である。これに対して、オス側の内側揺動軸７の内端軸部の係合部３５は、先端部に設けた菱形状の係合小突起であり、該係合小突起３５は、扉１の肉厚に相関して前記水平長溝３６に係合する。
【００２６】
なお、内外の化粧カバー１４．１５は、対応する内外の支持座４．５の外周囲を覆う。また、内外のハンドル１０．１１は、そのボス部に螺合するハンドル用固着具１６．１６を介して内外の揺動軸７．８に固定される。
【００２７】
（３）第１摺動体と第２摺動体
ここで、図８及び図９を参照にして第１摺動体１２と第２摺動体１３を説明する。
第１摺動体１２と第２摺動体１３は、プッシュプル用摺動体（揺動軸によって作動する作動片）であり、図８で示すように錠箱３の収納空間４０に水平状態に配設される。本実施例の摺動体１２．１３は、内外の二つの作動片を組合せて構成している。
【００２８】
ここでは、図８、図９に示す外枠の摺動体を第１摺動体１２、一方、外枠の摺動体１２内に組み込まれた枠状の摺動体を第２摺動体１３とする。これらの摺動体１２．１３の細部的な構成は、本発明の特定要件ではないので、説明を割愛するが、前述した内外の揺動軸７．８の連係内端部３４．３４は、第１摺動体１２の一方の垂直側壁部１２ａと第２摺動体１３の垂直側壁部１３ａとの間に設定された間隙４１内に錠箱３の窓孔４２を介して入り込む。
【００２９】
したがって、第１摺動体１２及び第２摺動体１３の各垂直側壁部１２ａ．１３ａは、共働する揺動軸７．８に対する受け板機能を発揮する。第１摺動体１２も第２摺動体１３も、「一つの摺動体用復帰バネ４３」のバネ力に抗して水平方向へ移動する。前記復帰バネ４３は、第１摺動体１２の他方の垂直側壁部１２ｂと第２摺動体１３のバネ端支持用隔壁１３ｂとの間に内装されている。
【００３０】
（４）作用
図９及び図１０を参照にして揺動軸７．８と摺動体１２．１３との関係を説明する。内外のハンドル１０．１１は、プッシュプルしない限り、互いに平行状態を保っている。何故ならば、錠箱３に内装した摺動体用復帰バネ４３により、第１摺動体１２及び第２摺動体１３は所定の位置に復帰しているからである。
【００３１】
そこで、図１０で示すように内外のハンドル１０．１１のいずれかをプル（引く）と、揺動軸７．８の共働する連係内端部３４．３４は矢印Ａ方向へと揺動する。この時、共働する揺動軸７．８の内端軸部の先端部３４ａは、第１摺動体１２の垂直側壁部１２ａを押圧する。第１摺動体１２は垂直側壁部１２ａを押されると、復帰バネ４３のバネ力に抗して図９、図１０に示す矢印Ａ方向に移動する（この時復帰バネ４３は収縮する）。
【００３２】
これに対して、図１０で示すように内外のハンドル１０．１１のいずれかをプッシュ（押す）と、揺動軸７．８の共働する連係内端部３４．３４は矢印Ｂ方向へと揺動する。この時、共働する揺動軸７．８の内端軸部の先端部３４ａは、第２摺動体１３の垂直側壁部１３ａを押圧する。共働する揺動軸７．８により、第２摺動体１３の垂直側壁部１３ａが押圧されると、第２摺動体１３は復帰バネ４３のバネ力に抗して図９、図１０に示す矢印Ｂ方向に移動する（復帰バネ４３は収縮）。
【００３３】
したがって、本実施例の第１摺動体１２及び第２摺動体１３は、一つの摺動体用バネ部材４３を兼用して互いに復帰方向が逆になる（部品点数の削減）。なお、図１１の（ａ）、（ｂ）は、本発明の効果の一例を示す概略説明図である。
【実施例】
【００３４】
本実施例に於いて、内外の揺動軸７．８の長板状連係内端部３４．３４は、互いに合わせるようにして各係合部３５．３６の係合関係を保持しているが、各係合部３５．３６の形状や数は一例に過ぎないので、水平長溝３６に代えて係合長孔にしたり、一方、係合突起を軸方向に長く形成したり、複数個形成したり、任意に設形変更可能である。
【００３５】
また、設計如何により、作動時、内端軸部の先端部の外側部分３４ａ．３４ａの少なくとも一方が、錠箱内の前記摺動体１２．１３を、バネ部材４３のバネ力に抗して所定方向へ移動させるようにしても良い。
【産業上の利用可能性】
【００３６】
本発明は、建具や錠前の分野に利用される。
【図面の簡単な説明】
【００３７】
図１乃至図１１は本発明の第１実施例を示す各説明図。
【図１】実施形態を示す概略説明図（内外の揺動軸を係合）。
【図２】実施形態を示す概略説明図（内外の揺動軸を分離）。
【図３】内側揺動軸と外側揺動軸の係合状態の一例を示す説明図。
【図４】便宜上、一方の揺動軸（内側揺動軸）のみを枢着した説明図。
【図５】便宜上、他方の揺動軸（外側揺動軸）のみを枢着した説明図。
【図６】要部の斜視図（一方の揺動軸は裏返した図を加えている）。
【図７】支持座と揺動軸との組合せ関係を示す説明図。
【図８】錠箱内の摺動体と揺動軸の位置関係を示す概略説明図。
【図９】第１及び第２摺動体の説明図。
【図１０】揺動軸の作用の説明図。
【図１１】（ａ）、（ｂ）は、本発明の効果の一例を示す概略説明図。
【符号の説明】
【００３８】
Ｘ…ハンドル機構、１…扉、２…錠、３…錠箱、４…内側支持座、５…外側支持座、６…固着具、７…内側揺動軸、８…外側揺動軸、９…支持軸、１０…内側ハンドル、１１…外側ハンドル、１２…第１摺動体、１３…第２摺動体、２４…中心孔、２６…挿入穴、３０…外端軸部、３１…小凹所、３２…軸中央部、３３…貫通孔小孔、３４…内端軸部、３５…係合部（係合小突起）、３６…係合部（水平長溝）４３…バネ部材（復帰バネ）。
【図１】
2005264487.tif 000003
【図２】
2005264487.tif 000004
【図３】
2005264487.tif 000005
【図４】
2005264487.tif 000006
【図５】
2005264487.tif 000007
【図６】
2005264487.tif 000008
【図７】
2005264487.tif 000009
【図８】
2005264487.tif 000010
【図９】
2005264487.tif 000011
【図１０】
2005264487.tif 000012
【図１１】
2005264487.tif 000013